(57)【要約】      （修正有）【課題】日本みつばち専用のはち採取方法を提供する。【解決手段】一端に台形状のはち排出口５を形成しかつ凹凸面を有する桜の木の皮を張設してなる取手付きのはち収集容器１を設け、該容器１の取手部３を把持して屋外の小枝Ｃに集まっている女王ばち入り日本みつばちＡを止まり木から集め、はち容器に収納する。【選択図】図５
2012055217.tif 000002
【特許請求の範囲】
【請求項１】
一端部に台形状のはち排出口を形成しかつ凹凸面を有する桜の木の皮を張設してなる取手付のはち収集容器を設け、該容器の取手部を把持して屋外の小枝に集まっている女王ばち入り日本みつばちを止まり木から集め、はち容器に収納することを特徴とする日本みつばち専用のはち採取方法。
【請求項２】
請求項１記載のはち採取方法において、桜の木に止まっている日本みつばちの特性を利用し、女王ばちともども採取する請求項１記載の日本みつばち専用のはち採取方法。
【請求項３】
請求項２記載のはち採取方法において、日本みつばちの常に上方壁面に集まる習性を利用して止まり木容器を女王ばちに群がるはちの上からかぶせて止まり木容器に集め、かつ採取したはち玉の日本みつばちをはち収集容器に移して開閉蓋で蓋をする請求項２記載の日本みつばち専用のはち採取方法。
【発明の詳細な説明】
【技術分野】
【０００１】
本発明は、みつばちの養蜂方法に関するが詳しくは日本みつばち専用のはち採取方法に関するものである。
【背景技術】
【０００２】
従来から一般的な養蜂方法は専ら西洋みつばちの養蜂方法であり、例えば特開平８‐３７９８４号（特許第２７８３９７７号）が開示されている。この養蜂方法は、養蜂箱に巣門と通気口とを備えた養蜂箱本体と、外養蜂箱本体との開閉を自在にした養蜂箱蓋とから成る養蜂箱において、前記養蜂箱本体の通気口に手動操作用の作動ツマミを具備した回転自在の開閉蓋を取付け、かつ作動ツマミを係止するストッパーを付設し、更に前記養蜂箱の上方奥部分に餌補給と通風とを兼備した長方形網張口を設け、かつ該長方形網張口に開閉自在の開閉蓋を付設して成り、一方前記養蜂箱蓋の開閉蓋をゴムバンドを介して係止して成ることを特徴とする養蜂箱を用いて、はちみつを採取するものである。
【特許文献１】特開平８−３７９８４号公報  この公開されている養蜂方法は、従来から一般的に使用されている養蜂箱を用いて西洋みつばちのみつを採取する方法である。以下、その具体的な養蜂箱とその養蜂方法について説明する。
【０００３】
図２１乃至図３０は従来の養蜂箱を示したものであり、３１が養蜂箱本体で３２が通気口である。養蜂箱本体３１は、木製の素材を用いて箱状に加工されており、その一側面（前方）には巣門３７と通気口３２が形成されている。巣門３７は下段中央部に細長状に穴設されており、通気口３２はその上方部に円形状に穴設されている。また、この通気口３２には網張りＳされている。３３は通気口３２の開閉蓋であり木製板を円形状に形成し、その表面には開閉蓋２３を手動操作するための作動ツマミ３４が取付けてある。また、この開閉蓋２３は後述するように巣門を開閉する機能も有している。３５は開閉蓋３３を通気口３２に取付るための支軸ネジであり、この支軸ネジ３２を軸心にした開閉蓋３３を一定の位置で係止させるためのストッパーであり、作動ツマミ３４が係止されるように構成されている。
【０００４】
また３８は養蜂箱蓋であり、上方部分に餌を補給するための餌補給と痛風とを兼備した長方形網張口が穴設されている。この餌補給口３９の内側は網張Ｄされており、上方奥部分には開閉自在になる開閉蓋４０が付設されている。なお４１は蝶つがいであり、この蝶つがい４１を介して開閉蓋４０を自在に開閉できるので、ワンタッチで餌補給口３９から餌を注入することができると共に、養蜂箱本体３７内に外気を通風させることができる。なお、４２はゴムバンド４３を止める係止ピンである。
【０００５】
次に、図２３と図２４によって従来の養蜂箱の操作方法について説明する。まず、開閉蓋３３の作動ツマミ３４を手で持ち右方向に回転させると、作動ツマミ３４がストッパー３６で係止され通気口３２は図３７に示すように開閉蓋３３によって完全に密封されることになる。その際、巣門３７は開口状態となる。ついで、支軸ネジ３５を軸心にして作動ツマミ３４を左方向に回転させると、図２４に示すように開閉蓋３３を下方向に移動し一定の位置（本図では支軸ネジ３５と対向位置で停止される。その結果、通気口３２は開閉状態となるが、巣門３７は密封状態となる。なお、開閉蓋３３は木製素材が用いられている。
【０００６】
更に、図２５と図３０によって従来の養蜂箱から成る養蜂箱蓋の開閉操作について説明する。まず、通常は図２５のように開閉蓋４０は係止ピン４２、４２間にゴムバンドで止められているので、蓋部分は完全に密封状態で閉じられている。この状態でもって、養蜂箱内に餌を補給しようとする場合は、図３０に示すようにゴムバンド４３を係止ピン３２から取りはずして開閉蓋４０を矢印方向に手動操作すれば、餌補給口３９が開かれて網張りＤ部分から餌を補給することができる。その後、餌補給口３９を介して養蜂箱内の空気と外気との通風も同時に行うことが可能となり、しかも養蜂箱内の様子を見ることも可能となる。
【発明の開示】
【発明が解決しようとする課題】
【０００７】
このように従来から使用されている養蜂方法は、いずれも西洋みつばちの養蜂方法であって、日本みつばちの養蜂箱でも養蜂方法ではない。日本みつばちは、すでに５〜６０年前に西洋みつばちが輸入されてからは、活用できず壊滅状態となり日本国から日本みつばちは消滅されてしまった。
【０００８】
特に、日本みつばちは日本の自然環境とりわけ日本全土の草花・果物の受粉としての役割は大昔（２０〜３０億年前位）から果たしてきていた。それが西洋みつばちの輸入によって日本全土から日本みつばちがいなくなり、すべてが西洋みつばちが代役されてきたのが現状である。
【０００９】
しかし最近では、その西洋みつばちが原因不明の現象によって滅びつつあり、やむを得ず日本の養蜂業者は外国からみつのみを輸入して市場化されるようになった。その結果、不良品のはちみつが市場に出廻り役所の監視化が厳しくなり、日本での養蜂業者の経営が成り立たず廃業する現象も起きている。この現象によって、西洋みつばちが日本全土から姿を消えれば受粉を人間の手によって行わなければならず、しかもその成果が不充分であるから、野菜や果物の生産農家にも多大な影響を及ぼすことになる。
【００１０】
そこで、我が国古来からの日本みつばちの早期開発が求められており、西洋みつばちに代って我が国本来の日本みつばちが開発されている。ここに本発明が解決しようとする課題を有する。
【課題を解決するための手段】
【００１１】
本発明は上記の如き課題を解決するために開発したものであって、一端部に台形状のはち排出口を形成しかつ凹凸面を有する桜の木の皮を張設してなる取手付のはち収集容器を設け、該容器の取手部を把持して屋外の小枝に集まっている女王ばち入り日本みつばちを止まり木から集め、はち容器に収納することを特徴とする日本みつばち専用のはち採取方法の提供にあり、また前記はち採取方法において桜の木に止まっている日本みつばちの特性を利用し、女王ばちともども採取する日本みつばち専用のはち採取方法の提供にあり、また前記はち採取方法において日本みつばちの常に上方壁面に集まる習性を利用して止まり木容器を女王ばちに群がるはちの上からかぶせて止まり木容器に集めかつ採取したはち玉の日本みつばちをはち収集容器に移して開閉蓋で蓋をする日本みつばち専用のはち採取方法の提供にある。
【発明の効果】
【００１２】
本発明は、一端部に台形状のはち排出口を形成しかつ凹凸面を有する桜の木の皮を張設してなる取手付のはち収集容器を設け、該容器の取手部を把持して屋外の小枝に集まっている女王ばち入り日本みつばちを止まり木から集めはち容器に収納する日本みつばち専用のはち採取方法であり、また前記はち採取方法において桜の木に止まっている日本みつばちの特性を利用し女王ばちともども採取する日本みつばち専用のはち採取方法であり、更に前記はち採取方法において日本みつばちの常に上方壁面に集まる習性を利用して止まり木容器を女王ばちに群がるはちの上からかぶせて止まり木容器に集めかつ採取したはち玉の日本みつばちをはち収集容器に移して開閉蓋で蓋をする日本みつばち専用のはち採取方法であるから、従来の西洋みつばちの養蜂方法とは全く異なる養蜂方法である。以下、その具体的な効果を説明する。
ア、日本みつばちは西洋みつばちとは異なり、採蜜活動の場所が標高１，０００ｍ〜１，  ５００ｍの山里であることから、主として高山植物に開花されている小さな花からみつ  を採取しているので、西洋みつばちの採取しているみつとは全く高質成分のみつが得ら  れる。
イ、また、日本みつばちは西洋みつばちとは異なり、人工的に作成された養蜂箱に巣づく  りをしてみつを採取することができず、全く自然の環境状態にしてはちたちが自ら巣箱  をつくる習性があるから、みつの採取量が西洋みつばちよりはるかに少量であり、しか  も１年からに２年位しないと採蜜することができない。その結果、西洋みつばちより高  額となり高級指向型のみつを提供することができる。
ウ、このような習性と特性を有する日本みつばちを我が国全土に養蜂するのには、日本み  つばちに適した山里を管理するのが前提条件となるので、国などの公共団体の支援はも  とより、我が国養蜂家の高質化が不可欠となる。この養蜂家の養成が我が国の野菜や果  物などの自給自足を高めることができるとともに、高質で高級な日本みつばちのみつを  市場に提供することが可能となる。
エ、よって、本発明による日本みつばちの養蜂方法を採用すれば、上記の如き多くの効果  が得られることになり、我が国の農林業の支援にも大いに役立つことにもなる。
【発明を実施するための最良の形態】
【００１３】
本発明の最良な実施形態は、大昔から自然養蜂されていた日本みつばちを人工的な養蜂方法を新規に開発したものである。以下、図１から図８によって、最良の実施形態について説明する。
【００１４】
図１と図２は、日本みつばちを採取する止り木の容器を示したものであり、１はその止り木容器である。止り木容器１は、板材を箱状に形成しかつ一側面にはち排出５を設けてちり取り状に成形し、更に底面に桜の木の皮２が貼り付けられている。この桜の木の皮２は、表面が凹凸状になっているので、日本みつばちの好むことから集めるのに良いとされている。なお、３は取手であり、４は取手の金具である。
【００１５】
図３と図４は、止り木容器１の使用状態を示したものであって、日本みつばちが集められた働きばちＡをはち収容容器６に収納して開閉蓋７にて密封する。その際、必ず女王ばちＢを中心にしてはち移動刷毛Ｎを使用すれば、女王ばちＢともども働きばちＡをいっきにはち収容容器６に移すことができる。
【００１６】
図５と図６は、本発明の止り木容器を用いて日本みつばちを採取する方法を示した者である。まず、小枝Ｃに集っている働きばちＡの上から取手３を片手Ｓに持って蓋状にする。そうすれば、女王ばちＢにむらがっている働きばちＡをいっきに止り木容器１に移すことができるとともに日本ばちＡをいっきに止り木容器１に移すことができる。これは日本ばちＡの上方に逃げる習性を利用する方法であり簡単容易に止り木容器１の上面に集めることが可能となる。この状態を示したのが図６である。
【００１７】
なお、図７と図８は従来の日本みつばちの採取方法を示したものである。この従来方法は、通常の捕虫網１１を用いて下から採取する方法と、通常の水露器１３を使用してはちの羽根を濡らしてはち収納容器１４に採取する方法である。この従来方法は日本みつばちＡの習性を全く考えない方法であり、働きばちＡを完全に採取できないばかりか女王ばちＢが逃げてしまい全く役に立たない欠点があった。
【００１８】
更に、図９から図２１によって、本発明の養蜂方法に使用される日本みつばちの養蜂箱について説明する。
【００１９】
まず、図９と図１０とによって本発明で使用される養蜂箱を示した説明用の斜視図であり、２１はその養蜂箱本体である。養蜂箱本体２１は、古い使用済の古板を素材にして使用する。この古板材を直方状の箱体に形成し、４面の１面底面中央部に日本みつばちが出入りするはち出入口６を設け、その上方部に巣箱内の様子を見る開閉蓋２２が取付けられている。この開閉蓋２６には取手２３が取付けてあり、その開閉を自在にする蝶つがい２７で固定されている。なお、２４は開閉蓋２２のフックであり、いつでも取手２３を持って開閉蓋２２を上下にすれば開閉蓋２２が開いたり閉じたり自在に作動することができる。２８は、養蜂箱本体２１の上蓋であり、使用時は常時固定されている。この上蓋２８の内部上面にはみつＢを貯める巣があり、このみつを貯めるはち巣にはみつを採取してきた日本みつばちＡがはち出入口２６から侵入してみつをためると図９のような吊り状の巣がたれ下がっている。この場合は、はち出入口６の巣箱内は広い空間があるので、はちの巣づくりが効率的に行うことができることになる。２５は養蜂箱本体１の底部に取り付ける底板であり、取付自在となるようにネジなどで螺着されている。
【００２０】
次に、図１１から図１８とによって本発明に使用される養蜂箱の使用方法と養蜂方法について説明する。まず、図１１に示すように養蜂箱本体２１内にはちみつ巣内にみつＢが貯まったならば、底板２５を取りはずして図１２の状態にした後に図１３に示す状態に養蜂箱本体２１を横に倒して空の養蜂箱本体２１ａの上蓋２８、２８ａを取りはずして、重ね合わせてガムテープＰで連着する。そうすれば、両養蜂箱本体２１、２１ａの底部が貫通されることになる。このような操作によって図１３に示す状態に養蜂箱本体２１にしてから、養蜂箱本体２１の上蓋２８を取りはずして、みつのたまっている板状のはちみつＢを包丁Ｙで剥がして別体の袋Ｗに投入する。  
【００２１】
次に、図１５と図１６に示すようにははちみつＢを取り除いた後に底面にたまっているはちみつＢを雑巾Ｖできれいに拭き取り同時に箱内にいるみつばちＡを奥の方に刷毛Ｈで追い込み空の養蜂箱本体２１ａに移せば、図１１の状態に空の養蜂箱本体２１ａ内にみつばちＡを完全に移動させたならば、ガムテープＰを剥がして養蜂箱本体１を取り除いて手早く底板２５を固定する。そうすれば、養蜂箱本体２１ａに移動されたみつばちＡは図９に示した状態となり、新しく巣箱を簡単容易につくることができる。
【００２２】
なお、図１９と図２０は横型式の養蜂箱を示したものであり、基本的には縦型式のものと同じであるから説明は省略する。
【図面の簡単な説明】
【００２３】
【図１】本発明の日本みつばちの養蜂方法に使用する容器の内側を示した斜視図。
【図２】図１に示した養蜂容器の外側を示した斜視図。
【図３】本発明の使用状態を示した概要斜視図。
【図４】本発明の使用状態を示した概要斜視図。
【図５】本発明の使用状態を示した概要斜視図。
【図６】本発明の使用状態を示した概要斜視図。
【図７】従来の養蜂方法を示した概要斜視図。
【図８】従来の養蜂方法を示した概要斜視図。
【図９】本発明の養蜂方法に使用される養蜂箱を示した概要斜視図。
【図１０】本発明の使用状態を示した概要斜視図。
【図１１】本発明の使用状態を示した概要斜視図。
【図１２】本発明の使用状態を示した概要斜視図。
【図１３】本発明の他の実施例を示した概要斜視図。
【図１４】図13の使用状態を示した概要斜視図。
【図１５】本発明の養蜂箱を示した斜視図。
【図１６】図１に示した本発明の一部拡大断面図。
【図１７】本発明の使用状態を示した正面図。
【図１８】本発明の使用状態を示した正面図。
【図１９】本発明の養蜂箱蓋部を示した平面図。
【図２０】図５に示した養蜂箱蓋部の拡大斜視図。
【図２１】従来の養蜂箱を示した概要説明図。
【図２２】従来の養蜂箱を示した概要説明図。
【図２３】従来の養蜂箱を示した概要説明図。
【図２４】従来の養蜂箱を示した概要説明図。
【図２５】従来の養蜂箱を示した概要説明図。
【図２６】従来の養蜂箱を示した概要説明図。
【図２７】従来の養蜂箱を示した概要説明図。
【図２８】従来の養蜂箱を示した概要説明図。
【図２９】従来の養蜂箱を示した概要説明図。
【図３０】従来の養蜂箱を示した概要説明図。
【符号の説明】
【００２４】
１  止り木容器              ２  桜の木の皮
３  取手                    ４  取手金具
５  はち排出口              ６  はち収容容器
７  開閉蓋                  １１  捕虫網
１２  刷毛ほうき            １３  水露器
１４  はち収納容器
【図１】
2012055217.tif 000003
【図２】
2012055217.tif 000004
【図３】
2012055217.tif 000005
【図４】
2012055217.tif 000006
【図５】
2012055217.tif 000007
【図６】
2012055217.tif 000008
【図７】
2012055217.tif 000009
【図８】
2012055217.tif 000010
【図９】
2012055217.tif 000011
【図１０】
2012055217.tif 000012
【図１１】
2012055217.tif 000013
【図１２】
2012055217.tif 000014
【図１３】
2012055217.tif 000015
【図１４】
2012055217.tif 000016
【図１５】
2012055217.tif 000017
【図１６】
2012055217.tif 000018
【図１７】
2012055217.tif 000019
【図１８】
2012055217.tif 000020
【図１９】
2012055217.tif 000021
【図２０】
2012055217.tif 000022
【図２１】
2012055217.tif 000023
【図２２】
2012055217.tif 000024
【図２３】
2012055217.tif 000025
【図２４】
2012055217.tif 000026
【図２５】
2012055217.tif 000027
【図２６】
2012055217.tif 000028
【図２７】
2012055217.tif 000029
【図２８】
2012055217.tif 000030
【図２９】
2012055217.tif 000031
【図３０】
2012055217.tif 000032